(57)【要約】      （修正有）【課題】作業現場で切断した電気信号線の端部を圧着端子内に突入させて加締めるだけで、電気信号線が接続され、しかも圧着端子内に水が浸入することが防止される防水型電気信号線接続端子を提供する。【解決手段】接続する電気信号線の端部を突入させる開口部２ｅ及び開口部に続く第１中空部２ｄと、第１中空部に続く第２中空部２ｃを有するケース部２を備え、第１中空部は電気信号線端部近傍の絶縁被覆部を突入させ得る空間であり、２中空部内に電気信号端部から突出する導電線の端部を突入させる導電部材３が配設されている電気信号線接続端子であって、第１中空部内に高粘性の防水材料（シリコーン樹脂）４が配設されている。【選択図】図１
0003197594.tif 000002
【実用新案登録請求の範囲】
【請求項１】
接続する電気信号線の端部を突入させる開口部及び該開口部に続く第１中空部と、該中空部続く第２中空部を有するケース部を備え、前記第１中空部は前記電気信号線端部近傍の絶縁被覆部を突入させ得る空間があり、前記２中空部内に前記電気信号端部から突出する導電線の端部を突入させる導電部材が配設されている電気信号線接続端子であって、
前記第１中空部内に高粘性の防水材料が配設されていることを特徴とする防水型電気信号線接続端子。
【請求項２】
前記電気信号線接続端子は圧着端子である、請求項１に記載の防水型電気信号線接続端子。
【請求項３】
前記電気信号線接続端子はコネクタである、請求項１に記載の防水型電気信号線接続端子。
【請求項４】
前記防水材料はシリコーン樹脂である、請求項１又は２に記載の防水型電気信号線接続端子。
【請求項５】
前記防水材料の前後の端面のうち少なくとも前記開口部から露見する前記防水材料の片面は該防水材料が硬化した箔膜が形成されている、請求項４に記載の防水型電気信号線接続端子。
【請求項６】
前記開口部は、該開口部の端面に粘着したシール材で覆われている、請求項１乃至４の何れかの項に記載の防水型電気信号線接続端子。
【考案の詳細な説明】
【技術分野】
【０００１】  本考案は、電気信号線の端部を接続させる開口部の内側に防水材料が設けられている防水型電気信号線接続端子に関する。
【背景技術】
【０００２】  ケース部を備える圧着端子及びコネクタ等の信号線接続端子を用いて電気信号線の端部を接続した後、該ケース部の内壁と電気信号線の絶縁被膜部との間に隙間が生じていると、この隙間からケース部内に水が浸入し易くなるという不具合がある。
このため、前記ケース部内に水が浸入しないようにする技術が開発済である（特許文献１等）。【０００３】  特許文献１に記載によれば、圧着端子内に電気信号線の端部を突入させた状態において、圧着端子の前記開口部の内側の内壁と前記電気信号線の絶縁被覆部との間の隙間をシリコーン樹脂で閉鎖させるようにしている。
【先行技術文献】
【特許文献】
【０００４】
【特許文献１】特開２００９−１３６０３９号公報
【考案の概要】
【考案が解決しようとする課題】
【０００５】  しかしながら、特許文献１は、芯線露出部に隣接する部位の絶縁被覆部に、未硬化の光シリコーン樹脂を塗布する方式が採られたものであり、予めこの絶縁被覆部にシリコーン樹脂を塗布しなければならない点において作業性の面で課題があった。作業現場で電気信号線を切断してこの切断部を圧着端子で接続することは一般的に行われている。【０００６】  本考案は、作業現場で切断した電気信号線の端部を圧着端子内に突入させて加締めるだけで、電気信号線が接続させ、しかも圧着端子内に水が浸入することが防止される防水型電気信号線接続端子提供することを解決課題とする。
【課題を解決するための手段】
【０００７】  請求項１に係る防水型電気信号線接続端子は、
接続する電気信号線の端部を突入させる開口部及び該開口部に続く第１中空部と、該中空部続く第２中空部を有するケース部を備え、前記第１中空部は前記電気信号線端部近傍の絶縁被覆部を突入させ得る空間があり、前記２中空部内に前記電気信号端部から突出する導電線の端部を突入させる導電部材が配設されている電気信号線接続端子であって、
前記第１中空部内に高粘性の防水材料が配設されている。【０００８】  本考案に係る防水型電気信号線接続端子が未使用の状態においては、電気信号線の端部を突入させる開口部に前記第１中空部は高粘性の防水材料で閉鎖されている。
電気信号線の端部は、前記防水材料が高粘性であるため、前記電気信号線の端部は、容易に前記開口部に続く前記第１中空部内に突き進むことが出来る。そして、該電子信号線の端部から突出する前記導電線は、第１中空部に続く前記第２中空部内の導電部材に良好に接触する位置まで深く突入する。
このとき、前記第１中空部内には電気信号線の絶縁被膜部が位置し、該絶縁被膜部と前記第１中空部の内壁との間は前記防水材料による防水構造となっている。このため、前記開口部から前記ケース部内に水が浸入することはない、【０００９】  請求項２に係る防水型信号線接続端子が備える信号線接続端子は、圧着端子であり、請求項１に記載の防水型電気信号線接続端子が備える信号線節側端子は、コネクタである。【００１０】  請求項４に係る防水型信号線接続端子は、請求項１又は２に記載の防水型電気信号線接続端子において、更に、前記防水材料はシリコーン樹脂とされている。【００１１】  請求項５に係る防水型電気信号線接続端子は、請求項４に記載の防水型電気信号線接続端子において、更に、前記防水材料の前後の端面のうち少なくとも前記開口部から露見する前記防水材料の片面は該防水材料が硬化した箔膜が形成されている。【００１２】  請求項６に係る防水型電気信号線接続端子は、請求項１乃至４の何れかの項に記載の防水型電気信号線接続端子において、更に、前記開口部は、該開口部の端面に粘着したシール材で覆われている。
【考案の効果】
【００１３】  本考案に係る防水型信号線接続端子によれば、電気信号線の端部を防水型信号線接続端子の開口部内に突入させるという従来と全く同じ作業をするだけで、この端子内の防水がされる。【００１４】  シリコーン樹脂は防水用のシール材として従来より広く知られており、高粘性のシリコーン樹脂を用いると、硬化が早く短時間で絶縁被膜部と前記第１中空部の内壁との間は更に高い防水構造になる。【００１５】  特に、前記開口部から露見する前記防水材料の片面に防水材料が硬化した箔膜が形成されていると、未使用状態の防水型信号線接続端子においても、内側の防水材料が硬化することなく高粘度の状態が維持される。【００１６】  この薄膜を設けずに、前記開口部を前記シール材で覆っても、未使用状態の防水型信号線接続端子においても、内側の防水材料が硬化することなく高粘度の状態が維持される。この防水型信号線接続端子を用いて電気信号線の端部を接続する際には、このシール材を指先で摘まんで剥す。
【図面の簡単な説明】
【００１７】
【図１】（ａ）は本考案第１実施形態に係る防水型信号線接続端子を示した斜視図、（ｂ）は同じく正面図、（ｃ）は同じく正面断面図。
【図２】本考案第１実施形態に係る防水型信号線接続端子を用いて電気信号線の端部を突入させた状態を示した断面図。
【図３】本考案第２実施形態に係る防水型信号線接続端子を示した斜視図。
【図４】本考案第３実施形態に係る防水型信号線接続端子を示した斜視図。
【考案を実施するための形態】
【００１８】  本考案を実施するための形態を以下の実施例において詳述する。
【実施例】
【００１９】  図１（ａ）〜（ｃ）に本考案第１実施形態に係る防水型信号線接続端子１が示されている。この防水型信号線接続端子１は、後部２ａが大径で前部２ｂが小径となった段付き砲弾型形状を有する有底形状のケース部２を備える。ケース部２の後端は開口部２ｅとなっており、この開口部２ｅに続くケース部２内には第１中空部２ｄが形成されている。そして、この第１中空部２ｄの更に前方に第２中空部２ｃが形成されていれている。第２中空部２ｃ内には導電部材３が配設されている。この防水型信号線接続端子１は圧着端子で構成されている。
前記第２中空部２ｃ内には高粘性のシリコーン樹脂４が配設されている。そして、高粘性のシリコーン樹脂４の開口部２ｅ側になる露見面には高粘性のシリコーン樹脂を硬化させた薄膜４ａが形成され、この対向面にも同様の薄膜４ｂが形成されている。【００２０】  図２に示すように２本の電気信号線１０，１１の端部をケース部２の開口部２ｅから内部に突入させると、シリコーン樹脂４を突き進んで、電気信号線１０，１１の端部から突出する導電線１０ｂ、１１ｂは導電部材３内に至り、電気信号線１０，１１の前端近傍の絶縁被膜１０ａ，１１ａは第１中空部２ｄ内に位置する。そして、第１中空部２ｄの内壁面と絶縁被膜１０ａ，１１ａとの間の隙間がシリコーン樹脂４で閉鎖された状態になった防水構造になる。【００２１】  図３に示す本考案第３実施形態に係る防水型信号線接続端子１は、ケース部２の開口部２ｅの端面にシリコーン樹脂４の硬化を防止するシール材７が貼着されている。この防水型信号線接続端子１に電気信号線の端部を突入する際には、このシール材７は剥がされる。【００２２】  図４に示す本考案第３実施形態に係る防水型信号線接続端子１は、コネクタであり、この防水型信号線接続端子１の信号線の端部を突入させる開口部２ｅに続く第１中空部２ｄ内に高粘性のシリコーン樹脂４が配設されている。
【産業上の利用可能性】
【００２３】  本考案に係る防水型信号線接続端子は、電気信号線を接続する様々な分野で利用可能性がある。
【符号の説明】
【００２４】      １    防水型信号線接続端子
２    ケース部
２ｅ  開口部
２ｄ  第１中空部
３    電気信号線接続部
４    シリコーン樹脂
４ａ，４ｂ  薄膜層
７    シール材
１０    電気信号線
１０ａ  絶縁被膜部
１０ｂ  導電線
１１    電気信号線
１１ａ  絶縁被覆部
１１ｂ  導電線
【図１】
0003197594.tif 000003
【図２】
0003197594.tif 000004
【図３】
0003197594.tif 000005
【図４】
0003197594.tif 000006